(57)【特許請求の範囲】
【請求項１】
害虫侵入口を有し、前記害虫侵入口を介して内部と外部とが連通される容器本体と、
前記容器本体内に配置される毒餌剤と、
前記毒餌剤に害虫を誘導する誘引剤と、
前記容器本体内に収容される前記誘引剤を押圧し、前記容器本体の前記害虫侵入口から前記誘引剤を押し出す押出部材と、を備え、
前記誘引剤は、前記容器本体上に押し出されることを特徴とする害虫防除用容器。
【請求項２】
害虫侵入口及び薬剤押出口を有し、前記害虫侵入口及び前記薬剤押出口を介して内部と外部とが連通される容器本体と、
前記容器本体内に配置される毒餌剤と、
前記毒餌剤に害虫を誘導する誘引剤と、
前記容器本体内に収容される前記誘引剤を押圧し、前記容器本体の前記薬剤押出口から前記誘引剤を押し出す押出部材と、を備え、
前記誘引剤は、前記容器本体上に押し出されることを特徴とする害虫防除用容器。
【請求項３】
前記容器本体は、
底板に立設され、前記害虫侵入口が少なくとも１つ設けられる外周壁と、
前記押出部材を挿入するための開口部が設けられる天板と、
前記底板及び前記外周壁により形成される薬剤収容部と、を備えることを特徴とする請求項１記載の害虫防除用容器。
【請求項４】
前記押出部材は、
前記天板の前記開口部と略同一形状に形成され、前記誘引剤を押圧する押圧板と、
前記押圧板の周縁部に立設される周壁と、を備え、
前記周壁に前記容器本体の前記害虫侵入口と連通する侵入連通口を設けることを特徴とする請求項１記載の害虫防除用容器。
【請求項５】
前記容器本体は、断面矩形状の筒状部材と、前記筒状部材の内部を仕切るように設けられる仕切板と、を備え、前記仕切板には、前記害虫侵入口が少なくとも１つ設けられ、
前記押出部材は、前記容器本体の前記筒状部材の内周面と略同一形状に形成され、前記容器本体内に収容される前記誘引剤を押圧する押圧板と、前記押圧板の周縁部から長手方向に延設される筒状部材と、を備えることを特徴とする請求項１記載の害虫防除用容器。
【発明の詳細な説明】
【技術分野】
【０００１】
本発明は、害虫を効果的に防除するための害虫防除用容器に関し、特に、アリ、ゴキブリ、ムカデ等のほふく害虫を効果的に防除するための害虫防除用容器に関する。
【背景技術】
【０００２】
従来の害虫防除用容器としては、殺虫有効成分と昆虫誘引成分である１種類又は複数種類の人間用食材とをペースト状に加工してなるペースト状害虫駆除剤を収容した容器が知られている。この特許文献１に記載の容器は、ペースト状害虫駆除剤を収容する本体チューブと、ペースト状害虫駆除剤を外部に押し出す口部と、を有し、本体チューブに圧力が加えられることにより、ペースト状害虫駆除剤を害虫の通り道、巣、これらの近傍、床面、壁面、家具、及びその他の駆除対象面に少量ずつ付着させる（例えば、特許文献１参照）。
【０００３】
【特許文献１】特開２００５−３４３８７０号公報
【発明の開示】
【発明が解決しようとする課題】
【０００４】
しかしながら、特許文献１に記載の害虫防除用容器では、チューブに圧力を加えることにより、ペースト状害虫駆除剤（薬剤）を害虫の通り道、巣、これらの近傍、床面、壁面、家具、及びその他の駆除対象面に付着させるため、薬剤の設置が煩瑣であると共に、床面、壁面、家具等が薬剤により汚れてしまっていた。さらには、チューブに薬剤を充填するため、製造コストが増大してしまうという課題を有していた。
【０００５】
本発明は、上述した事情に鑑みてなされたものであり、その目的は、周囲を汚すことなく、害虫防除用容器（薬剤）を簡単に設置することができ、製造コストを低減することができる害虫防除用容器を提供することにある。
【課題を解決するための手段】
【０００６】
本発明の上記目的は、下記構成によって達成される。
（１）  害虫侵入口を有し、害虫侵入口を介して内部と外部とが連通される容器本体と、容器本体内に配置される毒餌剤と、毒餌剤に害虫を誘導する誘引剤と、容器本体内に収容される誘引剤を押圧し、容器本体の害虫侵入口から誘引剤を押し出す押出部材と、を備え、誘引剤は、容器本体上に押し出されることを特徴とする害虫防除用容器。
（２）  害虫侵入口及び薬剤押出口を有し、害虫侵入口及び薬剤押出口を介して内部と外部とが連通される容器本体と、容器本体内に配置される毒餌剤と、毒餌剤に害虫を誘導する誘引剤と、容器本体内に収容される誘引剤を押圧し、容器本体の薬剤押出口から誘引剤を押し出す押出部材と、を備え、誘引剤は、容器本体上に押し出されることを特徴とする害虫防除用容器。
（３）  容器本体は、底板に立設され、害虫侵入口が少なくとも１つ設けられる外周壁と、押出部材を挿入するための開口部が設けられる天板と、底板及び外周壁により形成される薬剤収容部と、を備えることを特徴とする（１）に記載の害虫防除用容器。
（４）  押出部材は、天板の開口部と略同一形状に形成され、誘引剤を押圧する押圧板と、押圧板の周縁部に立設される周壁と、を備え、周壁に容器本体の害虫侵入口と連通する侵入連通口を設けることを特徴とする（１）に記載の害虫防除用容器。
（５）  容器本体は、断面矩形状の筒状部材と、筒状部材の内部を仕切るように設けられる仕切板と、を備え、仕切板には、害虫侵入口が少なくとも１つ設けられ、押出部材は、容器本体の筒状部材の内周面と略同一形状に形成され、容器本体内に収容される誘引剤を押圧する押圧板と、押圧板の周縁部から長手方向に延設される筒状部材と、を備えることを特徴とする（１）に記載の害虫防除用容器。
【発明の効果】
【０００７】
本発明の害虫防除用容器によれば、害虫侵入口を有し、害虫侵入口を介して内部と外部とが連通される容器本体と、容器本体内に配置される毒餌剤と、毒餌剤に害虫を誘導する誘引剤と、容器本体内に収容される誘引剤を押圧し、容器本体の害虫侵入口から誘引剤を押し出す押出部材と、を備え、誘引剤は、容器本体上に押し出されるため、周囲を汚すことなく、害虫防除用容器を簡単に設置することができ、製造コストを低減することができる。
【発明を実施するための最良の形態】
【０００８】
以下、本発明に係る害虫防除用容器の各実施形態について、図面を参照して詳細に説明する。
【０００９】
（第１実施形態）
まず、図１〜図５を参照して、本発明に係る害虫防除用容器の第１実施形態について説明する。
図１は本発明に係る害虫防除用容器の第１実施形態を説明するための概略斜視図、図２は誘引剤を押し出した状態の害虫防除用容器を説明するための概略斜視図、図３は図２に示す害虫防除用容器の正面図、図４は図３のＡ−Ａ線矢視断面図、図５は図４のＢ−Ｂ線矢視断面図、図６は害虫防除用容器の第１実施形態の変形例を説明するための概略平面図である。
【００１０】
本実施形態の害虫防除用容器１０は、図１〜図５に示すように、害虫侵入口１１ｅを有し、この害虫侵入口１１ｅを介して内部と外部とが連通される容器本体１１と、容器本体１１内に配置される毒餌剤１３と、毒餌剤１３に害虫を誘導する誘引剤１４と、容器本体１１内に収容される誘引剤１４を押圧し、容器本体１１の害虫侵入口１１ｅから誘引剤１４を押し出す押出部材１２と、を備える。なお、害虫防除用容器１０の外観形状は、立方体、円錐、半球、多角錐、動物、植物等の意匠性を有する形状としてもよい。
【００１１】
容器本体１１は、合成樹脂で形成（成形）されており、図１に示すように、底板１１ａと、底板１１ａに立設される外周壁１１ｂと、外周壁１１ｂの上端部に設けられる天板１１ｃと、底板１１ａ及び外周壁１１ｂにより囲まれた誘引剤１４を収容するための薬剤収容部１１ｄと、を備える。なお、本実施形態では、容器本体１１は合成樹脂で形成されているが、その材質に限定はなく、紙、金属、及びこれらと合成樹脂とを組み合わせたものであってもよい。
【００１２】
外周壁１１ｂは、平面視正方形状の枠状部材であって、この外周壁１１ｂには、容器本体１１の薬剤収容部１１ｄ内に害虫を侵入させるための害虫侵入口１１ｅが、外周壁１１ｂの周方向に所定の間隔を存して複数個（本実施形態では２０個）形成される。なお、本実施形態では、外周壁１１ｂの形状は、平面視正方形状であるが、三角形、五角形等の多角形、円形、矩形、楕円形、長円形、及び星形等であってもよく、その形状、大きさは任意である。また、本実施形態では、害虫侵入口１１ｅの形状は、矩形状であるが、三角形、五角形等の多角形、円形、正方形、楕円形、長円形、及び星形等であってもよく、その形状、口数、大きさは任意である。さらに、害虫侵入口１１ｅは、害虫が薬剤収容部１１ｄ内に侵入或いは頭部を入れられる程度の大きさが好ましい。
【００１３】
天板１１ｃには、容器本体１１の薬剤収容部１１ｄ内に押出部材１２を挿入するための開口部１１ｆが形成される。開口部１１ｆは、平面視において、外周壁１１ｂの内周縁、即ち、薬剤収容部１１ｄと同一形状に形成される。これにより、開口部１１ｆを介して薬剤収容部１１ｄに押出部材１２を嵌挿することができる。
【００１４】
押出部材１２は、合成樹脂で形成（成形）されており、図１に示すように、天板１１ｃの開口部１１ｆに嵌挿できる形状に形成され、容器本体１１の薬剤収容部１１ｄに収容される誘引剤１４を押圧する押圧板１２ａと、押圧板の周縁部に立設される周壁１２ｂと、を備える。そして、本実施形態では、押出部材１２内に毒餌剤１３が配置されており、この毒餌剤１３は、押出部材１２が容器本体１１の薬剤収容部１１ｄに挿入されることによって容器本体１１内に配置される。なお、本実施形態では、押出部材１２は合成樹脂で形成されているが、その材質に限定はなく、紙、金属、及びこれらと合成樹脂とを組み合わせたものであってもよい。また、毒餌剤１３の周囲に捕獲シート（粘着シート）や殺虫剤層を設けるようにしてもよい。
【００１５】
また、周壁１２ｂには、容器本体１１の害虫侵入口１１ｅと連通する侵入連絡口１２ｃが、周壁１２ｂの周方向に所定の間隔を存して複数個（本実施形態では２０個）形成される。なお、本実施形態では、侵入連絡口１２ｃの形状は、正方形状であるが、三角形、五角形等の多角形、円形、矩形、楕円形、長円形、及び星形等であってもよく、その形状、口数、大きさは任意である。
【００１６】
毒餌剤１３に配合される殺虫成分としては、例えば、除虫菊エキス、天然ピレトリン、プラレトリン、イミプロトリン、フタルスリン、アレスリン、トランスフルトリン、レスメトリン、フェノトリン、シフェノトリン、ペルメトリン、サイパーメスリン、エトフェンプロックス、シフルスリン、デルタメスリン、ビフェントリン、フェンバレレート、フェンプロパスリン、シラフルオフェン、メトフルトリン、プロフルトリン等のピレスロイド系化合物、フェニトロチオン、ダイアジノン、マラソン、ピリダフェンチオン、プロチオホス、ホキシム、クロルピリホス、ジクロルボス等の有機リン系化合物、カルバリル、プロポクスル、メソミル、チオジカルブ等のカーバメート系化合物、メトキサジアゾン等のオキサジアゾール系化合物、フィプロニル等のフェニルピラゾール系化合物、アミドフルメト等のスルホンアミド系化合物、ジノテフラン、イミダクロプリド等のニコチノイド系化合物、メトプレン、ハイドロプレン、ピリプロキシフェン等の昆虫成長制御化合物、ホウ酸、クロルフェナピル、これらの異性体、誘導体、ベンジルアルコール、ハッカ油等の殺虫性精油類、ピペロニルブトキサイド、サイネピリン５００、サイネピリン２２２、Ｓ−４２１、ＭＧＫ−２６４等の共力剤等を挙げることができる。
【００１７】
また、毒餌剤１３には、誘引剤が配合されており、この誘引剤としては、例えば、アミノ酸（アスパラギン酸、アラニン、グリシン、グルタミン、グルタミン酸、セリン、トレオニン、プロリン等）、水、甘露、牛乳、果汁、蜂蜜、酒（果実酒、紹興酒等）、黒酢、糖アルコール（ソルビトール、還元水飴等）、タマゴ、サナギ、オキアミ、エビ、ミルク、チーズ、畜肉、魚肉、デンプン、小麦粉、フスマ、豆、米糠、種子、綿実等の動物及び植物タンパク質、砂糖、ブドウ糖、ショ糖等の炭水化物、ヤシ油、オリーブ油、肉油、魚油、ゴマ油等の脂質、これらの抽出物、分解物等を挙げることができる。
【００１８】
また、毒餌剤１３には、必要に応じて、下記の成分が適宜配合されており、例えば、ホワイトカーボン、珪藻土、結晶セルロース、クレー、カオリン、タルク、ベントナイト、シリカ等の無機物、パラフィン、ポリエチレングリコール、デキストリン、スチレン樹脂、シリコーン樹脂等の有機物、イソプロピルアルコール、エタノール、変性アルコール等のアルコール類、プロピレングリコール、エチレングリコール等のグリコール類、イソペンタン、ノルマルペンタン等のペンタン類、イソパラフィン、ノルマルパラフィン等のパラフィン系炭化水素類、寒天、カラギーナン、ジェランガム、ローカストビーンガム、吸水性ポリマー等のゲル剤、ＰＯＥ硬化ヒマシ油、ＰＯＥアルキルエーテル、ＰＯＥ・ＰＯＰブロックポリマー等の界面活性剤、ブチルヒドロキシトルエン、アスコルビン酸等の酸化防止剤、ソルビン酸カリウム、パラオキシ安息香酸エステル等の防腐剤、安息香酸デナトリウム、トウガラシ末等の誤飲防止剤、カラメル色素、ベニバナ、青色１号、黄色４号等の法定色素等の着色剤、クエン酸、リン酸水素塩等のＰＨ調整剤等を挙げることができる。なお、毒餌剤１３に配合される成分は、防除対象とする害虫の種類に合わせて上記した各種成分から適宜選択すればよい。
【００１９】
誘引剤１４は、ゲル状、ペースト状、ゼリー状で、害虫を容器本体１１に少なくとも誘引し、或いは、害虫が食べれることにより害虫を容器本体１１内に誘導（案内）し、侵入した害虫を毒餌剤１３に誘導するための無毒の誘引剤であって、具体的には、上記した誘引剤、ゲル化剤（例えば、寒天、カラギナーン、ジェランガム、キサンタンガム等）、溶剤（例えば、水、アルコール、多価アルコール等）等を、加熱して均一に混合し、容器本体１１の薬剤収容部１１ｄに充填し、冷却固化させたもの等である。なお、誘引剤１４は、毒性の無い材料からなるので、使用者や小動物に対しても安全である。なお、本実施形態では、誘引剤１４は、害虫が食べることができるものであるが、例えば、テープ状又は紐状の芯体に上記誘引剤を保持させたもの等、害虫が食べることができない誘引材であってもよい。
【００２０】
このように構成された害虫防除用容器１０では、まず、害虫防除用容器１０を害虫が活動する場所に載置する。次いで、誘引剤１４が収容された容器本体１１の薬剤収容部１１ｄに押出部材１２を矢印Ａ方向（図１参照）に挿入し、押出部材１２の押圧板１２ａで誘引剤１４を押圧して、誘引剤１４を容器本体１１の害虫侵入口１１ｅから押し出させる。これにより、誘引剤１４が略四角柱状に押し出されて、容器本体１１の底板１１ａ上に配置される。これと同時に、押出部材１２が押し下げられることによって、容器本体１１の害虫侵入口１１ｅと押出部材１２の侵入連絡口１２ｃとが連通される。そして、害虫防除用容器１０の周囲にいる害虫は、誘引剤１４に配合されている誘引剤により誘引されて集められ、誘引剤１４を食べ始め、食べながら誘引剤１４に沿って進んでいくと、害虫侵入口１１ｅ及び侵入連絡口１２ｃを通って、自然に容器本体１１内に導かれる。容器本体１１内に侵入した害虫は、毒餌剤１３に配合されている誘引剤により誘引されて、毒餌剤１３を食べる。また、害虫の種類によっては毒餌剤１３を巣に持ち帰る。
【００２１】
従って、本実施形態の害虫防除用容器１０によれば、害虫侵入口１１ｅを有し、害虫侵入口１１ｅを介して内部と外部とが連通される容器本体１１と、容器本体１１内に配置される毒餌剤１３と、毒餌剤１３に害虫を誘導する誘引剤１４と、容器本体１１内に収容される誘引剤１４を押圧し、容器本体１１の害虫侵入口１１ｅから誘引剤１４を押し出す押出部材１２と、を備え、誘引剤１４は、容器本体１１の底板１１ａ上に押し出されるため、従来の害虫防除用容器のように駆除対象面に直接薬剤を付着させることがないので、周囲を汚すことなく、害虫防除用容器１０を簡単に設置することができる。また、従来の害虫防除用容器のようにチューブに薬剤を充填しないので、製造コストを低減することができる。
【００２２】
なお、本実施形態の変形例として、図６に示すように、害虫防除用容器１０は、容器本体１１及び押出部材１２を平面視八角形状に形成してもよい。この場合、容器本体１１の害虫侵入口１１ｅから押し出された誘引剤１４が８方向に延びるように配置されるため、誘引剤１４が害虫に発見され易くなるため、害虫防除用容器１０の害虫誘引効果を向上することができる。
【００２３】
（第２実施形態）
まず、図７〜図１０を参照して、本発明に係る害虫防除用容器の第２実施形態について説明する。なお、第１実施形態と重複する部分については、図に同一符号を付してその説明を省略あるいは簡略化する。
図７は本発明に係る害虫防除用容器の第２実施形態を説明するための概略斜視図、図８は第２実施形態の第１変形例を説明するための概略斜視図、図９は第２実施形態の第２変形例を説明するための概略斜視図、図１０は第２実施形態の第３変形例を説明するための概略斜視図である。
【００２４】
本実施形態の害虫防除用容器２０は、図７に示すように、害虫侵入口１１ｅを有し、この害虫侵入口１１ｅを介して内部と外部とが連通される容器本体２１と、容器本体２１内に配置される不図示の毒餌剤と、毒餌剤に害虫を誘導する誘引剤１４と、容器本体２１内に収容される誘引剤１４を押圧し、容器本体２１の害虫侵入口１１ｅから誘引剤１４を押し出す押出部材２２と、を備える。
【００２５】
容器本体２１は、合成樹脂で形成（成形）されており、図７に示すように、断面矩形状の筒状部材２１ａと、この筒状部材２１ａの内部を仕切るように設けられる仕切板２１ｂと、を備える。この仕切板２１ｂには、害虫侵入口１１ｅが容器本体２１の幅方向に所定の間隔を存して複数個（本実施形態では５個）形成される。なお、本実施形態では、容器本体２１は合成樹脂で形成されているが、その材質に限定はなく、紙、金属、及びこれらと合成樹脂とを組み合わせたものであってもよい。
【００２６】
押出部材２２は、合成樹脂で形成（成形）されており、図７に示すように、容器本体２１の筒状部材２１ａの内周面と略同一形状に形成され、容器本体２１の薬剤収容部２１ｃに収容される誘引剤１４を押圧する押圧板２２ａと、押圧板２２ａの周縁部から長手方向に延設される筒状部材２２ｂと、を備える。なお、本実施形態では、毒餌剤は、誘引剤１４を押し出した後に、容器本体２１の薬剤収容部２１ｃに配置させる。なお、本実施形態では、押出部材２２は合成樹脂で形成されているが、その材質に限定はなく、紙、金属、及びこれらと合成樹脂とを組み合わせたものであってもよい。
【００２７】
このように構成された害虫防除用容器２０では、まず、誘引剤１４が収容された容器本体２１の薬剤収容部２１ｃに押出部材２２を矢印Ｂ方向（図７参照）に挿入し、押出部材２２の押圧板２２ａで誘引剤１４を押圧して、誘引剤１４を容器本体２１の害虫侵入口１１ｅから押し出させる。これにより、誘引剤１４が略四角柱状に押し出されて、容器本体２１の筒状部材２１ａ内に配置される。次いで、容器本体２１から押出部材２２を抜き取り、容器本体２１の薬剤収容部２１ｃに不図示の毒餌剤を配置して、害虫防除用容器２０を害虫が活動する場所に載置する。そして、害虫防除用容器２０の周囲にいる害虫は、誘引剤１４に配合されている誘引剤により誘引されて集められ、誘引剤１４を食べ始め、食べながら誘引剤１４に沿って進んでいくと、害虫侵入口１１ｅを通って、自然に容器本体２１内に導かれる。容器本体２１内に侵入した害虫は、毒餌剤１３に配合されている誘引剤により誘引されて、毒餌剤１３を食べる。また、害虫の種類によっては毒餌剤１３を巣に持ち帰る。なお、押出部材２２は、毒餌剤を配置した後、再度容器本体２１に挿入してもよいし、抜き取ったままでもよい。
その他の構成及び作用効果については、上記した第１実施形態と同様である。
【００２８】
なお、本実施形態の第１変形例として、図８に示すように、害虫防除用容器２０は、容器本体２１内に区分板２１ｄを設けることにより、容器本体２１内に上段である第１薬剤収容部２１ｅ及び下段である第２薬剤収容部２１ｆを形成して、第１薬剤収容部２１ｅ内に誘引剤１４を収容させ、第２薬剤収容部２１ｆ内に毒餌剤１３を配置させる。また、仕切板２１ｂの第１薬剤収容部２１ｅに対応する面には、薬剤押出口２１ｇが形成され、仕切板２１ｂの第２薬剤収容部２１ｆに対応する面には、害虫侵入口２１ｈが形成される。また、押出部材２２は、第１薬剤収容部２１ｅに挿入できる大きさに形成される。この場合、容器本体２１の第１薬剤収容部２１ｅに押出部材２２を挿入することにより、薬剤押出口２１ｇから誘引剤１４が押し出され、害虫侵入口２１ｈからは押し出されない。また、誘引剤１４により集められた害虫は、誘引剤１４を食べなくても、害虫侵入口２１ｈから第２薬剤収容部２１ｆ内に自由に出入りでき、毒餌剤１３を食べることができる。なお、第１薬剤収容部２１ｅ及び第２薬剤収容部２１ｆは上下逆であってもよい。
【００２９】
なお、本実施形態の第２変形例として、図９に示すように、害虫防除用容器２０は、容器本体２１の上面に薬剤供給口２１ｊを形成して、この薬剤供給口２１ｊを介して容器本体２１の薬剤収容部２１ｃに誘引剤１４を供給させる。また、薬剤供給口２１ｊは、補給時以外は蓋部材２１ｋにより閉塞される。
【００３０】
なお、本実施形態の第３変形例として、図１０に示すように、害虫防除用容器２０は、容器本体２１に挿入口２１ｍを形成して、この挿入口２１ｍに誘引剤１４を保持させたカートリッジ２１ｎをセットすることにより、容器本体２１の薬剤収容部２１ｃに誘引剤１４を供給させる。
【図面の簡単な説明】
【００３１】
【図１】本発明に係る害虫防除用容器の第１実施形態を説明するための概略斜視図である。
【図２】誘引剤を押し出した状態の害虫防除用容器を説明するための概略斜視図である。
【図３】図２に示す害虫防除用容器の正面図である。
【図４】図３のＡ−Ａ線矢視断面図である。
【図５】図４のＢ−Ｂ線矢視断面図である。
【図６】害虫防除用容器の第１実施形態の変形例を説明するための概略平面図である。
【図７】本発明に係る害虫防除用容器の第２実施形態を説明するための概略斜視図である。
【図８】第２実施形態の第１変形例を説明するための概略斜視図である。
【図９】第２実施形態の第２変形例を説明するための概略斜視図である。
【図１０】第２実施形態の第３変形例を説明するための概略斜視図である。
【符号の説明】
【００３２】
１０，２０        害虫防除用容器
１１，２１        容器本体
１１ａ            底板
１１ｂ            外周壁
１１ｃ            天板
１１ｄ，２１ｃ    薬剤収容部
１１ｅ，２１ｈ    害虫侵入口
１１ｆ            開口部
１２，２２        押出部材
１２ａ            押圧板
１２ｂ            周壁
１２ｃ            侵入連絡口
１３              毒餌剤
１４              誘引剤
２１ａ            筒状部材
２１ｂ            仕切板
２１ｄ            区分板
２１ｅ            第１薬剤収容部
２１ｆ            第２薬剤収容部
２１ｇ            薬剤押出口
２２ａ            押圧板
２２ｂ            筒状部材
【図１】
0004846436.tif 000002
【図２】
0004846436.tif 000003
【図３】
0004846436.tif 000004
【図４】
0004846436.tif 000005
【図５】
0004846436.tif 000006
【図６】
0004846436.tif 000007
【図７】
0004846436.tif 000008
【図８】
0004846436.tif 000009
【図９】
0004846436.tif 000010
【図１０】
0004846436.tif 000011